(57)【要約】【課題】  静止画像である画像データに対して静止画像に対応した画像変換処理を施し、静止画像をより鮮明に投影できるプロジェクタを提供する。【解決手段】プロジェクタ１を構成する制御装置５は、画像データ、および画像データを識別する識別情報を取得するインターフェース部５１と、識別情報に基づいて、画像データが静止画像であるか否かを判定する画像判定部５３と、画像データに対して所定の画像変換処理を施す画像変換処理部５４とを備える。画像変換処理部５４は、画像判定部５３にて画像データが静止画像であると判定された場合には、画像データに対して静止画像に対応した表示状態とするための静止画像変換処理を施す。【選択図】 図１
2006323092.tif 000002
【特許請求の範囲】
【請求項１】
光源から射出された光束を変調する光変調装置と、変調された前記光束を投射する投射光学装置とを備えたプロジェクタであって、
画像データに基づいて前記光変調装置を制御する制御装置を備え、
前記制御装置は、
画像データ、および前記画像データを識別する識別情報を取得する情報取得部と、
前記識別情報に基づいて、前記画像データが静止画像であるか否かを判定する静止画像判定部と、
前記画像データに対して所定の画像変換処理を施す画像変換処理部とを備え、
前記画像変換処理部は、前記静止画像判定部にて前記画像データが静止画像であると判定された場合には、前記画像データに対して前記静止画像に対応した表示状態とするための静止画像変換処理を施すことを特徴とするプロジェクタ。
【請求項２】
請求項１に記載のプロジェクタにおいて、
複数の前記画像データに応じた各投影画像を順次、切り換えてスライド再生する旨のスライド再生情報、および、前記各投影画像を切り換える旨の画像切換情報を設定入力させる設定入力部を備え、
前記制御装置は、前記スライド再生情報および前記画像切換情報に応じて、前記情報取得部に複数の前記画像データを取得させ前記画像データに基づき順次、切り換えて前記光変調装置に前記光束を変調させるスライド再生制御を実施するスライド再生部を備え、
前記画像変換処理部は、当該画像データに基づき前記光変調装置を制御する際に、前記画像切換情報の設定入力に応じて、当該画像データの後に投影すべき画像データに対して前記静止画像変換処理を施すことを特徴とするプロジェクタ。
【請求項３】
請求項１または請求項２に記載のプロジェクタにおいて、
前記画像変換処理部は、前記静止画像変換処理を実施する際、前記画像データを解析して前記画像データの明るさ情報を生成し、前記明るさ情報に基づいて、前記画像データにおける各画素に対応する各画素値を補正して前記画像データの階調レンジを変更する階調レンジ変更処理を実施することを特徴とするプロジェクタ。
【請求項４】
請求項１から請求項３のいずれかに記載のプロジェクタにおいて、
画像が投射されるスクリーンの投射面を撮像する撮像装置を備え、
前記画像変換処理部は、前記静止画像変換処理を実施する際、前記撮像装置にて撮像された画像を解析して前記投射面の視環境に関する視環境情報を生成し、前記視環境情報に基づいて、前記画像データに対して色補正処理を施すことを特徴とするプロジェクタ。
【請求項５】
請求項１から請求項４のいずれかに記載のプロジェクタにおいて、
前記画像データには、前記静止画像変換処理を実施するための静止画像変換処理データが付加されていることを特徴とするプロジェクタ。
【請求項６】
光源から射出された光束を変調する光変調装置と、変調された前記光束を投射する投射光学装置とを備えたプロジェクタの制御方法であって、
画像データ、および前記画像データを識別する識別情報を取得する情報取得ステップと、
前記識別情報に基づいて、前記画像データが静止画像であるか否かを判定する静止画像判定ステップと、
前記画像データに対して所定の画像変換処理を施す画像変換処理ステップと、
前記画像変換処理が施された前記画像データに基づいて、前記光変調装置を制御する投影画像生成ステップとを備え、
前記画像変換処理ステップは、前記静止画像判定ステップにて前記画像データが静止画像であると判定された場合には、前記画像データに対して前記静止画像に対応した表示状態とするための静止画像変換処理を施すことを特徴とするプロジェクタの制御方法。
【発明の詳細な説明】
【技術分野】
【０００１】
本発明は、プロジェクタ、およびプロジェクタの制御方法に関する。
【背景技術】
【０００２】
従来、光源から射出された光束を画像情報に応じて変調して光学像を形成する光変調装置と、画像情報に応じて光変調装置に光学像を形成させる制御装置と、光変調装置にて形成された光学像をスクリーン上に拡大投射する投射レンズとを備えたプロジェクタが知られている（例えば、特許文献１参照）。
【０００３】
【特許文献１】特開２００３−２８８０６５号公報
【発明の開示】
【発明が解決しようとする課題】
【０００４】
ところで、上述したようなプロジェクタにおいて、制御装置は、一般的に、画像情報に対して所定の画像変換処理（例えば、画質調整処理、ガンマ補正処理、色変換処理等）を施した後、前記画像変換処理を施した画像情報に基づいて、光変調装置に光学像を形成させている。特に、従来のプロジェクタでは、動画像の表示を目的として構成されているため、取得した画像情報（画像データ）が動画像に関する情報であるかあるいは静止画像に関する情報であるかを識別することなく、同期信号等の入力タイミングで双方のデータに同様の前記画像変換処理を施している。
このように動画像および静止画像の双方のデータに同様の画像変換処理を施した場合には、静止画像のデータに対して静止画像に対応した静止画像専用の画像変換処理を施しているわけではないので、静止画像（例えば、写真等）をより鮮明に投影することが難しい。
このため、静止画像である画像データに対して静止画像に対応した画像変換処理を施す技術が要望されている。
【０００５】
本発明の目的は、静止画像である画像データに対して静止画像に対応した画像変換処理を施し、静止画像をより鮮明に投影できるプロジェクタ、およびプロジェクタの制御方法を提供することにある。
【課題を解決するための手段】
【０００６】
本発明のプロジェクタは、光源から射出された光束を変調する光変調装置と、変調された前記光束を投射する投射光学装置とを備えたプロジェクタであって、画像データに基づいて前記光変調装置を制御する制御装置を備え、前記制御装置は、画像データ、および前記画像データを識別する識別情報を取得する情報取得部と、前記識別情報に基づいて、前記画像データが静止画像であるか否かを判定する静止画像判定部と、前記画像データに対して所定の画像変換処理を施す画像変換処理部とを備え、前記画像変換処理部は、前記静止画像判定部にて前記画像データが静止画像であると判定された場合には、前記画像データに対して前記静止画像に対応した表示状態とするための静止画像変換処理を施すことを特徴とする。
【０００７】
ここで、識別情報としては、画像データを識別可能とする情報であればいずれの情報でもよく、例えば、画像データのファイル拡張子等を採用できる。
本発明では、プロジェクタを構成する制御装置が静止画像判定部を備えているので、識別情報に基づいて、情報取得部にて取得された画像データが静止画像であるか否かを判定できる。また、情報取得部にて取得された動画像または静止画像の画像データに対して所定の画像変換処理（画質調整処理、ガンマ補正処理、色変換処理等）を施す画像変換処理部が、静止画像判定部にて画像データが静止画像であると判定された場合には、該画像データに対して静止画像に対応した表示状態とするための静止画像変換処理（画質調整処理、ガンマ補正処理、色変換処理等）を実施するので、従来の構成と比較して、静止画像をより鮮明に投影できる。
したがって、静止画像である画像データに対して静止画像に対応した画像変換処理を施し、静止画像をより鮮明に投影できるため、本発明の目的を達成できる。
【０００８】
本発明のプロジェクタでは、複数の前記画像データに応じた各投影画像を順次、切り換えてスライド再生する旨のスライド再生情報、および、前記各投影画像を切り換える旨の画像切換情報を設定入力させる設定入力部を備え、前記制御装置は、前記スライド再生情報および前記画像切換情報に応じて、前記情報取得部に複数の前記画像データを取得させ前記画像データに基づき順次、切り換えて前記光変調装置に前記光束を変調させるスライド再生制御を実施するスライド再生部を備え、前記画像変換処理部は、当該画像データに基づき前記光変調装置を制御する際に、前記画像切換情報の設定入力に応じて、当該画像データの後に投影すべき画像データに対して前記静止画像変換処理を施すことが好ましい。
本発明では、スライド再生部によるスライド再生制御が実施されている時には、画像変換処理部は、画像データに基づいて光変調装置を制御している際に、例えば、利用者による「投影画像を切り換える」旨の設定入力をトリガとして、前記画像データの後に投影すべき画像データに対して静止画像変換処理を施す。このことにより、スライド再生時の画像切換前に予め静止画像変換処理を実施でき、さらに、静止画像変換処理時には従前の画像データに基づく投影画像が投影されていることとなり、観賞者にスライド再生を良好に観賞させることができる。
【０００９】
本発明のプロジェクタでは、前記画像変換処理部は、前記静止画像変換処理を実施する際、前記画像データを解析して前記画像データの明るさ情報を生成し、前記明るさ情報に基づいて、前記画像データにおける各画素に対応する各画素値を補正して前記画像データの階調レンジを変更する階調レンジ変更処理を実施することが好ましい。
ここで、明るさ情報としては、例えば、画像データの各画素に対応する各輝度値において、最大輝度値、最小輝度値、平均輝度値等に関する情報を採用できる。
本発明では、画像変換処理部は、静止画像変換処理を実施する際、画像データの明るさ情報に基づいて、画像データにおける各画素に対応する各画素値（各輝度値）の低輝度側をより黒方向に補正したり、高輝度側をより白方向に補正して画像データの階調レンジを増加させる階調レンジ変更処理（所謂、白黒伸張処理）を実施する。このことにより、静止画像の見た目のコントラストを改善し、静止画像をさらに鮮明に投影できる。
【００１０】
本発明のプロジェクタでは、画像が投射されるスクリーンの投射面を撮像する撮像装置を備え、前記画像変換処理部は、前記静止画像変換処理を実施する際、前記撮像装置にて撮像された画像を解析して前記投射面の視環境に関する視環境情報を生成し、前記視環境情報に基づいて、前記画像データに対して色補正処理を施すことが好ましい。
ここで、撮像装置としては、例えば、ＣＣＤ(Charge Coupled Device)を撮像素子としたエリアセンサを備えたＣＣＤカメラ、投射面（投影画像）のＸＹＺ値を計測する色光センサ、投射面（投影画像）のＸＹＺ値やＬａｂ値を読み取る色彩計、投射面（投影画像）のガンマ値を計測する計測装置、投射面（投影画像）の色温度を計測する色温度メータ等の色温度計測装置等を採用できる。
また、視環境情報としては、例えば、投影画像の各画素に対応するＸＹＺ値、Ｌａｂ値、ガンマ値、色温度等で構成された情報を採用できる。
本発明では、画像変換処理部は、撮像装置にて撮像された画像を解析して視環境情報を生成し、視環境情報に基づいて、理想的な画像の色になるように画像データに対して色補正処理を施す。このことにより、例えば、スクリーンの種別や、環境によって投射面に投影される投影画像の色味が異なる場合でも、画像変換処理部により理想的な画像の色になるように画像データに色補正処理が施されるので、投射面に投影される投影画像の色味をより元の画像データに近い色味に設定できる。したがって、静止画像をさらに一層鮮明に投影できる。
【００１１】
本発明のプロジェクタでは、前記画像データには、前記静止画像変換処理を実施するための静止画像変換処理データが付加されていることが好ましい。
ここで、静止画像変換処理データとしては、例えば、画像データに基づく画像を、所定の明るさ、色調、コントラスト、シャープネス等に設定するための各種パラメータを採用できる。
また、画像データに静止画像変換処理データが付加されたデータとしては、例えば、以下の構成を採用できる。
例えば、画像データをＪＰＥＧ(Joint Photographic Experts Group)形式に変換してＪＰＥＧ画像データとするとともに、ＴＡＧ領域に静止画像変換処理データを付加した、所謂Ｅｘｉｆデータを採用できる。
また、例えば、画像データに対して静止画像変換処理データを画質の劣化のないように、所謂すかし画像データとして付加したデータを採用できる。例えば、画像データを周波数変換し、周波数変換後の画像データの周波数成分の大きい領域に静止画像変換処理データをすかし画像データとして付加したデータを採用できる。
本発明によれば、画像データおよび静止画像変換処理データを上述した構成とすることで、例えば、利用者が予め静止画像変換処理データを設定しておけば、画像変換処理部が利用者の好みに応じた静止画像変換処理を迅速に実施でき、利便性の向上が図れる。
【００１２】
本発明のプロジェクタの制御方法は、光源から射出された光束を変調する光変調装置と、変調された前記光束を投射する投射光学装置とを備えたプロジェクタの制御方法であって、画像データ、および前記画像データを識別する識別情報を取得する情報取得ステップと、前記識別情報に基づいて、前記画像データが静止画像であるか否かを判定する静止画像判定ステップと、前記画像データに対して所定の画像変換処理を施す画像変換処理ステップと、前記画像変換処理が施された前記画像データに基づいて、前記光変調装置を制御する投影画像生成ステップとを備え、前記画像変換処理ステップは、前記静止画像判定ステップにて前記画像データが静止画像であると判定された場合には、前記画像データに対して前記静止画像に対応した表示状態とするための静止画像変換処理を施すことを特徴とする。
本発明によれば、プロジェクタの制御方法は、情報取得ステップと、静止画像判定ステップと、画像変換処理ステップと、投影画像生成ステップとを備えているので、上述したプロジェクタと同様の作用・効果を享受できる。
【発明を実施するための最良の形態】
【００１３】
[第１実施形態]
以下、本発明の第１実施形態を図面に基づいて説明する。
〔プロジェクタの構成〕
図１は、本実施形態におけるプロジェクタ１の概略構成を示すブロック図である。
プロジェクタ１は、光源から射出される光束を画像情報に応じて変調して光学像を形成し、形成した光学像をスクリーンＳｃ（図１）上に拡大投射するものである。このプロジェクタ１は、図１に示すように、操作部２と、電源部３と、画像形成部４と、制御装置５とで大略構成されている。
【００１４】
操作部２は、図示しないリモートコントローラや、プロジェクタ１に備えられたボタンやキーにより構成され、利用者による操作を認識して所定の操作信号を制御装置５に出力する。例えば、操作部２は、プロジェクタ１のＯＮ／ＯＦＦを実施する入力部、音量調整を実施する入力部、投影画像の画質調整を実施する入力部、スライド再生を実施する入力部、スライド再生時に投影画像の切換を実施する入力部、投影画像を生成する際のカラーモードを選択する入力部等を備えている。
電源部３は、外部から供給された電力をプロジェクタ１の各部に供給する。この電源部３は、図示は省略するが、外部から供給された電力をプロジェクタ１の各部に供給する主電源と、利用者による操作部２の操作により主電源がＯＦＦした状態（スタンバイ状態）において、外部から供給された電力をプロジェクタ１の制御装置５等にのみ供給するサブ電源とで構成されている。
【００１５】
画像形成部４は、制御装置５による制御の下、光学像を形成してスクリーンＳｃに拡大投射する。この画像形成部４は、図１に示すように、光源装置４１と、光変調装置としての液晶ライトバルブ４２と、投射光学装置４３等を備える。
光源装置４１は、制御装置５による制御の下、光束を液晶ライトバルブ４２に向けて射出する。この光源装置４１は、光源ランプ４１１と、ランプ駆動部４１２とを備える。
光源ランプ４１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオードや有機ＥＬ(Electro Luminescence)素子、シリコン発光素子等の各種自己発光素子を採用してもよい。
ランプ駆動部４１２は、制御装置５による制御の下、所定の駆動周波数にしたがって駆動信号を生成し、光源ランプ４１１を駆動する。
【００１６】
液晶ライトバルブ４２は、透過型の液晶パネルであり、制御装置５からの駆動信号に基づいて、液晶セル（図示略）に封入された液晶分子の配列を変化させ、光源装置４１から射出された光束を、透過若しくは遮断することにより画像情報に応じた光学像を投射光学装置４３に射出する。
投射光学装置４３は、液晶ライトバルブ４２から射出された光学像をスクリーンＳｃに向けて拡大投射する。この投射光学装置４３は、例えば、筒状の鏡筒内に複数のレンズが収納された組レンズとして構成されている。
【００１７】
また、図示は省略したが、プロジェクタ１は、ＲＧＢの３色に対応する３枚の液晶ライトバルブ４２を備えている。また、光源装置４１は、光源光を３色の光に分離する色光分離光学系を備えている。さらに、投射光学装置４３は、３色の画像光を合成してカラー画像を表す光学像を生成する合成光学系を有している。なお、このような光学系の構成については、種々の一般的なプロジェクタの光学系の構成が利用可能である。
【００１８】
制御装置５は、ＣＰＵ(Central Processing Unit)等の演算処理装置を備え、前記ＣＰＵを制御するＯＳ(Operating System)上に展開されるプログラムとして構成され、所定のプログラムを実行して、電源部３および画像形成部４等を制御する。そして、制御装置５は、外部機器等から取得した画像情報（画像データ）に応じた画像を画像形成部４に形成させ、スクリーンＳｃの投射面に投影画像を生成させる。なお、以下では、液晶ライトバルブ４２の制御構造（後述するスライド再生制御や画像変換処理等）についてのみ説明し、その他の制御構造については説明を省略する。この制御装置５は、図１に示すように、情報取得部としてのインターフェース部５１と、スライド再生部５２と、静止画像判定部としての画像判定部５３と、画像変換処理部５４と、パネル駆動部５５と、記憶部５６等を備える。
【００１９】
インターフェース部５１は、外部機器等と接続し、外部機器等から画像情報（画像データ等）を取得して、画像データ等に対して予め設定された入力インターフェース処理を実施し、スライド再生部５２、画像判定部５３、画像変換処理部５４等に出力する。本実施形態では、インターフェース部５１は、ＵＳＢ(Universal Serial Bus)端子を有し、ＵＳＢケーブルを介して外部機器（ＣＤ−ＲＯＭ(Compact Disk-Read Only Memory)プレーヤ、ＤＶＤ(Digital Versatile Disk)プレーヤ、あるいは、ＨＤＤ(Hard Disk Drive)およびモニタを有し各種のファイルを再生するハードディスクマルチプレーヤ等）や、ＵＳＢメモリ等と情報の送受信が可能な状態に接続する。
【００２０】
スライド再生部５２は、利用者による「外部機器やＵＳＢメモリ等に記憶されたファイル（画像データ）を表示する」旨の入力操作により操作部２から出力される操作信号に応じて、インターフェース部５１を介して接続された外部機器のＨＤＤ等の記憶部内やＵＳＢメモリ内に記憶され、プロジェクタ１にて再生（光学像を形成）可能なファイル（以下、再生可能ファイルと記載する）を階層分けしたファイル表示画面データを生成する。そして、スライド再生部５２は、ファイル表示画面データに応じた光学像（ファイル表示画面）を画像判定部５３、画像変換処理部５４、およびパネル駆動部５５等を介して液晶ライトバルブ４２に形成させ、スクリーンＳｃ上に投影画像（ファイル表示画面）を生成させる。
【００２１】
また、スライド再生部５２は、利用者による「スライド再生を実施する」旨の入力操作により操作部２から出力されるスライド再生情報としての操作信号に応じて、インターフェース部５１を介して外部機器のＨＤＤ等の記憶部内やＵＳＢメモリ内に記憶され利用者により選択された再生可能ファイルのうち複数（本実施形態では、２つ）のファイルの画像データを取得し、記憶部５６に記憶させる。そして、スライド再生部５２は、記憶部５６に記憶された画像データを読み出して、該画像データに応じた光学像を画像判定部５３、画像変換処理部５４、およびパネル駆動部５５等を介して液晶ライトバルブ４２に形成させ、スクリーンＳｃ上に投影画像を生成させる。また、スライド再生部５２は、利用者による「投影画像の切換を実施する」旨の入力操作により操作部２から出力される画像切換情報としての操作信号に応じて、記憶部５６に記憶された他の画像データを読み出して、上記同様に、投影画像を生成させる。ここで、スライド再生部５２は、前記画像切換情報としての操作信号に応じて、利用者により選択された再生可能ファイルのうち他のファイルの画像データを再度取得し、記憶部５６に記憶させる。そして、スライド再生部５２は、上記の処理を、利用者による「投影画像の切換を実施する」旨の入力操作により操作部２から出力される操作信号に応じて、繰り返すスライド再生制御を実施する。
【００２２】
なお、上記再生可能ファイルとしては、本実施形態では、ファイル拡張子が「.sit」、「.bmp」、「.gif」、「.jpg」、「.png」、「.mpg」、「.mrk」のファイルを採用する。
ここで、ファイル拡張子が「.sit」のファイルは、シナリオファイルであり、PowerPoint(マイクロソフト社)ファイルや、ファイル拡張子が「.bmp」、「.jpg」、「.mpg」、「.wav」のファイルを１つのファイルとして組み込んだファイルである。
また、ファイル拡張子が「.mrk」のファイルは、ＤＰＯＦ（キャノン株式会社、イーストマン・コダック社、富士写真フィルム株式会社、松下電器産業株式会社）ファイルの自動再生ファイル（AUTPLAYn.mrk；nは０〜９の整数）である。
【００２３】
画像判定部５３は、スライド再生部５２から出力された画像データの識別情報としてのファイル拡張子を認識し、該ファイル拡張子に基づいて、該画像データが静止画像データ（例えば、写真データ）、シナリオデータ、その他のデータのいずれのデータであるかを判定する。具体的には、画像判定部５３は、ファイル拡張子が「.jpg」および「.mrk」である場合に、画像データを静止画像データであると判定する。また、画像判定部５３は、ファイル拡張子が「.sit」である場合に、画像データをシナリオデータであると判定する。さらに、画像判定部５３は、ファイル拡張子が「.jpg」、「.mrk」、「.sit」以外である場合には、画像データをその他のデータであると判定する。そして、画像判定部５３は、判定結果に応じた信号を画像変換処理部５４に出力する。
【００２４】
画像変換処理部５４は、利用者による「投影画像を生成する際のカラーモードを選択する」旨の入力操作に応じて操作部２から出力される操作信号や、画像判定部５３から出力される信号に応じて、画像データに画像変換処理を施す際のカラーモードを特定する。そして、画像変換処理部５４は、特定したカラーモードに応じた後述する画像変換処理情報を記憶部５６から読み出し、前記画像変換処理情報に基づいて、スライド再生部５２から出力された画像データに対して画像変換処理を施す。なお、前記画像変換処理としては、例えば、画質調整処理、色変換処理、ガンマ補正処理等がある。また、画像変換処理部５４は、カラーモードを後述する写真モードと特定した場合には、静止画像データに対応した静止画像変換処理（画像変換処理）を実施する。ここで、静止画像変換処理としては、上述した画質調整処理、色変換処理、ガンマ補正処理の他、白黒伸張処理等がある。
【００２５】
なお、前記カラーモードとしては、本実施形態では、「ダイナミックモード」、「プレゼンテーションモード」、「sRGBモード」、「シアターモード」、「写真モード」を採用する。
具体的に、ダイナミックモードは、画像データがテキストデータやExcel(マイクロソフト社)データ等である場合に、前記データに応じた光学像を形成させるカラーモードである。
プレゼンテーションモードは、画像データがPowerPoint(マイクロソフト社)データ等である場合に、前記データに応じた光学像を形成させるカラーモードである。
sRGBモードは、色の標準規格であるsRGBに準拠した機器と接続した際に、sRGB標準色空間で光学像を形成させるカラーモードである。
シアターモードは、映画等を鑑賞する際に、映画鑑賞に最適な「しっとり」、「つややかな」映像表現で光学像を形成させるカラーモードである。
写真モードは、画像データが写真データである場合に、前記データに応じた光学像を形成させるカラーモードである。
そして、利用者は、上述した５つのカラーモードのうち、「ダイナミックモード」、「プレゼンテーションモード」、「sRGBモード」、および「シアターモード」の４つのカラーモードを、操作部２を介して選択可能とする。
また、「写真モード」は、画像判定部５３が画像データを静止画像データであると判定した場合に出力する信号に応じて、画像変換処理部５４が特定するカラーモードである。
【００２６】
パネル駆動部５５は、画像変換処理部５４にて画像変換処理が施された画像データに対応する駆動信号を液晶ライトバルブ４３２に出力する。そして、液晶ライトバルブ４３２は、駆動信号に応じて上記カラーモードに応じた光学像を形成する。
【００２７】
記憶部５６は、制御装置５にて実行される各種プログラムや各種データ等を記憶する。各種データとしては、例えば、スライド再生部５２にて取得された複数（本実施形態では２つ）の画像データや、上述した画像変換処理情報等がある。
なお、前記２つの画像データは、スライド再生部５２にてインターフェース部５１を介して画像データが取得される毎に、順次更新して記憶される。
また、画像変換処理情報は、画像変換処理部５４にて画像変換処理を実施させるための情報であり、画像の輪郭を変化させるシャープネス、環境補正、コントラスト、色温度、ダイナミックγ特性等の設定を記録したルックアップテーブル（以下、ＬＵＴと記載する）で構成されている。そして、上述した各カラーモードに対応したＬＵＴ（本実施形態では、５つのＬＵＴ）が、画像変換処理情報として記憶部５６に記憶されている。画像変換処理部５４は、これらＬＵＴを適宜、参照して、画像データの各画素に対応する画素値を変換する前記画像変換処理を実施する。
【００２８】
〔プロジェクタの制御方法〕
次に、上述したプロジェクタ１の制御方法を図面に基づいて説明する。
図２は、プロジェクタ１の制御方法を説明するフローチャートである。
なお、以下では、プロジェクタ１の制御方法として、スライド再生制御および画像変換処理を主に説明し、その他の制御については説明を省略する。また、以下では、プロジェクタ１のインターフェース部５１には、ＵＳＢメモリが接続され、ＵＳＢメモリ内に記憶された再生可能ファイルのスライド再生制御および画像変換処理を実施するものとする。
先ず、制御装置５は、利用者により操作部２に「ＵＳＢメモリ内に記憶されたファイルを表示する」旨の入力操作が実施されたか否かを常に監視する（ステップＳ１）。
【００２９】
ステップＳ１において、制御装置５が「Ｙ」と判定した場合、すなわち、操作部２から「ＵＳＢメモリ内に記憶されたファイルを表示する」旨の操作信号を入力したと判定した場合には、スライド再生部５２は、ＵＳＢメモリ内に記憶された再生可能ファイルを階層分けしたファイル表示画面データを生成し、画像変換処理部５４に出力する。そして、画像変換処理部５４は、利用者による操作部２の入力操作により選択されたカラーモード（ダイナミックモード、プレゼンテーションモード、sRGBモード、シアターモード）に応じたＬＵＴを記憶部５６から読み出し、該ＬＵＴに基づいて、入力したファイル表示画面データに対して画像変換処理を施す。この後、パネル駆動部５５は、前記画像変換処理が施されたファイル表示画面データに対応する光学像（ファイル表示画面）を液晶ライトバルブ４２に形成させ、スクリーンＳｃ上にファイル表示画面が生成される（ステップＳ２）。
【００３０】
図３は、ファイル表示画面の一例を示す図である。
ファイル表示画面ＦＧは、図３に示すように、再生可能ファイルを有するフォルダＦＤや、再生可能ファイルＦＬがフォルダ名やファイル名とともに整列された表示画面で構成されている。そして、利用者は、ファイル表示画面ＦＧを確認して、操作部２の入力操作を実施することで、スライド再生を実施したいフォルダＦＤや再生可能ファイルＦＬを選択する（例えば、図３では、再生可能ファイルＦＬＡが選択されている）。
なお、スライド再生部５２は、上述したファイル表示画面ＦＧに限らず、例えば、フォルダＦＤ内のいずれかのファイルの画像や再生可能ファイルＦＬの画像をフォルダ名やファイル名とともに表示させる構成としてもよい。
【００３１】
ステップＳ２の後、制御装置５は、利用者により操作部２に「スライド再生を実施する」旨の入力操作が実施され操作部２からスライド再生情報としての操作信号が出力されたか否かを常時監視する（ステップＳ３）。
ステップＳ３において、制御装置５が「Ｙ」と判定した場合、すなわち、操作部２から「スライド再生を実施する」旨の操作信号を入力したと判定した場合には、スライド再生部５２は、インターフェース部５１を介してＵＳＢメモリ内から、利用者による操作部２の入力操作により選択されたフォルダＦＤや再生可能ファイルＦＬの画像データを２つ取得する（ステップＳ４：情報取得ステップ）。そして、スライド再生部５２は、取得した２つの画像データを記憶部５６に記憶させる。
【００３２】
ステップＳ４の後、スライド再生部５２は、記憶部５６に記憶された２つの画像データのうち一方の画像データを読み出し、画像変換処理部５４に出力する。そして、画像判定部５３は、スライド再生部５２から出力された画像データのファイル拡張子を認識し、該ファイル拡張子に基づいて、該画像データが静止画像データであるか否か、すなわち、ファイル拡張子が「.jpg」、「.mrk」であるか否かを判定する（ステップＳ５：静止画像判定ステップ）。
ステップＳ５において、画像判定部５３は、「Ｎ」と判定した場合、すなわち、ファイル拡張子が「.jpg」、「.mrk」ではないと判定した場合には、前記画像データがシナリオデータであるか否か、すなわち、ファイル拡張子が「.sit」であるか否かを判定する（ステップＳ６）。
【００３３】
ステップＳ６において、画像判定部５３は、「Ｎ」と判定した場合、すなわち、ファイル拡張子が「.jpg」、「.mrk」、「.sit」のいずれでもないと判定した場合には、画像データがその他のデータである旨の信号を画像変換処理部５４に出力する。そして、画像変換処理部５４は、画像判定部５３からの信号に応じて、スライド再生部５２から出力された画像データがその他の画像データであると認識し、カラーモードを、利用者による操作部２の入力操作により選択されたカラーモードに特定する（ステップＳ７）。
ステップＳ７の後、画像変換処理部５４は、特定したカラーモードに応じたＬＵＴを記憶部５６から読み出し、該ＬＵＴに基づいて、スライド再生部５２から出力された画像データに対して画像変換処理を施す（ステップＳ８：画像変換処理ステップ）。
【００３４】
一方、ステップＳ６において、画像判定部５３は、「Ｙ」と判定した場合、すなわち、ファイル拡張子が「.sit」であると判定した場合には、画像データがシナリオデータである旨の信号を画像変換処理部５４に出力する。そして、画像変換処理部５４は、画像判定部５３からの信号に応じて、スライド再生部５２から出力された画像データがシナリオデータであると認識し、カラーモードをプレゼンテーションモードに特定する（ステップＳ９）。
ステップＳ９の後、画像変換処理部５４は、プレゼンテーションモードに応じたＬＵＴを記憶部５６から読み出し、該ＬＵＴに基づいて、スライド再生部５２から出力された画像データに対して画像変換処理を施す（ステップＳ１０：画像変換処理ステップ）。
【００３５】
また、ステップＳ５において、画像判定部５３は、「Ｙ」と判定した場合、すなわち、ファイル拡張子が「.jpg」、「.mrk」であると判定した場合には、前記画像データが静止画像データである旨の信号を画像変換処理部５４に出力する。そして、画像変換処理部５４は、画像判定部５３からの信号に応じて、スライド再生部５２から出力された画像データが静止画像データであると認識し、カラーモードを写真モードに特定する（ステップＳ１１）。
ステップＳ１１の後、画像変換処理部５４は、スライド再生部５２から出力された画像データに対して以下に示す静止画像変換処理を施す（ステップＳ１２：画像変換処理ステップ）。
先ず、画像変換処理部５４は、写真モードに応じたＬＵＴを記憶部５６から読み出し、該ＬＵＴに基づいて、スライド再生部５２から出力された画像データに対して画像変換処理（静止画像変換処理）を施す（ステップＳ１２Ａ）。
【００３６】
次に、画像変換処理部５４は、前記画像データを解析して画像データに基づく光学像の明るさ情報を生成し、明るさ情報に基づいて、画像データにおける各画素に対応する各画素値を補正して画像データの階調レンジを変更する階調レンジ変更処理を実施する（ステップＳ１２Ｂ）。
例えば、画像変換処理部５４は、前記画像データを解析して各画素に対応する各輝度値を算出し、算出した各輝度値に基づいて最大輝度値、最小輝度値、平均輝度値に関する明るさ情報を生成する。そして、画像変換処理部５４は、前記明るさ情報に基づいて、前記画像データにおける低輝度側の輝度値をより黒方向に補正したり、高輝度側の輝度値をより白方向に補正して画像データの階調レンジを増加させる、所謂、白黒伸張処理（階調レンジ変更処理）を実施する。
【００３７】
ステップＳ８、ステップＳ１０、あるいはステップＳ１２の後、パネル駆動部５５は、画像変換処理が施された画像データに対応した駆動信号を出力して液晶ライトバルブ４２に光学像を形成させ、スクリーンＳｃ上に投影画像が生成される（ステップＳ１３）。
ステップＳ１３の後、スライド再生部５２は、スライド再生を終了するか否かを判定する（ステップＳ１４）。例えば、スライド再生部５２は、利用者による操作部２の「スライド再生を終了する」旨の入力操作が実施され操作部２から出力される操作信号を入力したり、利用者による操作部２の入力操作により選択されたフォルダＦＤや再生可能ファイルＦＬの画像データを全て表示させた場合に、スライド再生を終了する。
【００３８】
ステップＳ１４において、スライド再生部５２は、「Ｎ」と判定した場合、すなわち、スライド再生を継続すると判定した場合には、利用者により操作部２に「投影画像を切り換える」旨の入力操作が実施され操作部２から画像切換情報としての操作信号が出力されたか否かを常時監視する（ステップＳ１５）。
ステップＳ１５において、スライド再生部５２が「Ｎ」と判定した場合、すなわち、利用者により操作部２に「投影画像を切り換える」旨の入力操作が実施されていないと判定した場合には、制御装置５は、再度、ステップＳ１３に戻り、投影画像の生成を継続して実施させる。
【００３９】
一方、ステップＳ１５において、スライド再生部５２が「Ｙ」と判定した場合、すなわち、利用者により操作部２に「投影画像を切り換える」旨の入力操作が実施されたと判定した場合には、ステップＳ４に戻り、インターフェース部５１を介してＵＳＢメモリ内から、利用者による操作部２の入力操作により選択されたフォルダＦＤや再生可能ファイルＦＬの他の画像データを１つ取得する。そして、スライド再生部５２は、取得した画像データを記憶部５６に記憶させる。すなわち、利用者により操作部２に「投影画像を切り換える」旨の入力操作が実施される度に、上述したステップＳ４〜Ｓ１５が繰り返し実施される。なお、ステップＳ１５の後にステップＳ７〜Ｓ１２を実施している際には、従前の画像データに基づく投影画像が継続して生成されている。
【００４０】
以上説明した第１実施形態では、プロジェクタ１を構成する制御装置５が画像判定部５３を備えているので、識別情報であるファイル拡張子に基づいて、インターフェース部５１を介して取得した画像データが静止画像であるか否かを判定できる。また、識別情報としてファイル拡張子を採用しているので、画像データを識別する情報を新たに画像データに付加する必要がない。また、画像変換処理部５４が、画像判定部５３にて画像データが静止画像であると判定された場合には、記憶部５６に記憶された写真モードに対応したＬＵＴに基づいて、画像データに対して画像変換処理を施すので、従来の構成と比較して、静止画像をより鮮明に投影できる。
【００４１】
また、スライド再生部５２によるスライド再生制御が実施されている時には、画像変換処理部５４は、液晶ライトバルブ４２に画像データに基づく光学像を形成させている際に、利用者による「投影画像を切り換える」旨の設定入力により操作部２から出力される画像切換情報としての操作信号をトリガとして、画像データの後に投影すべき画像データに対して静止画像変換処理を施す。このことにより、スライド再生時の画像切換前に予め静止画像変換処理を実施でき、さらに、静止画像変換処理時には従前の画像データに基づく投影画像が投影されていることとなり、鑑賞者にスライド再生を良好に観賞させることができる。
さらに、画像変換処理部５４は、静止画像変換処理を実施する際、画像データに対して白黒伸張処理を施すので、静止画像の見た目のコントラストを改善し、静止画像をさらに鮮明に投影できる。
【００４２】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図４は、第２実施形態におけるプロジェクタ１´の概略構成を示すブロック図である。
本実施形態では、プロジェクタ１´は、図４に示すように、撮像部６を備える。また、プロジェクタ１´を構成する制御装置５´の画像変換処理部５４´は、前記第１実施形態で説明した静止画像変換処理を実施する際に、撮像部６にて撮像された画像に基づく視環境情報に基づいて色補正処理も実施する。撮像部６が設けられた点、および画像変換処理部５４´の機能が追加された点以外は、前記第１実施形態と同様のものである。
【００４３】
撮像装置としての撮像部６は、制御装置５´による制御の下、スクリーンＳｃの投射面（投影画像）を撮像する。この撮像部６としては、例えば、ＣＣＤ(Charge Coupled Device)を撮像素子としたエリアセンサを備えたＣＣＤカメラを採用でき、撮像した画像に応じた信号を制御装置５´に出力する。また、本発明に係る撮像装置としては、上述したＣＣＤカメラの他、投射面（投影画像）のＸＹＺ値を計測する色光センサ、投射面（投影画像）のＸＹＺ値やＬａｂ値を読み取る色彩計、投射面（投影画像）のガンマ値を計測する計測装置、投射面（投影画像）の色温度を計測する色温度メータ等の色温度計測装置等を採用できる。
画像変換処理部５４´は、前記第１実施形態で説明した機能の他、静止画像変換処理を実施する際に、撮像部６にて撮像された画像に基づいて視環境情報を生成し、該視環境情報に基づいて、スライド再生部５２から出力された画像データに対して色を補正する色補正処理を施す。
【００４４】
〔プロジェクタの制御方法〕
次に、上述したプロジェクタ１´の制御方法について図面を参照して説明する。
図５は、プロジェクタ１´の制御方法を説明するフローチャートである。
なお、以下では、図２に示すフローにおいて、追加されたフロー（ステップＳ１２Ｃ）のみを説明し、その他のフローについては、説明を省略する。
本実施形態では、前記第１実施形態で説明したステップＳ１２において、画像変換処理ステップ（Ｓ１２Ａ）の前に、撮像部６にスクリーンＳｃの投射面を撮像させて、撮像された画像に基づいて視環境情報を生成し、該視環境情報に基づいて記憶部５６に記憶された写真モードに対応したＬＵＴを校正する（ステップＳ１２Ｃ）。
【００４５】
例えば、記憶部５６にキャリブレーション画像データおよび基準視環境データを予め記憶させておく。
キャリブレーション画像としては、例えば、全領域が白となる画像を採用できる。
基準視環境データとしては、基準となる環境下において、基準となるスクリーンＳｃ上にキャリブレーション画像を投影した際に、撮像部６にて撮像された画像を解析して生成されたデータである。より具体的には、上記のように投影したキャリブレーション画像の各画素に対応するＸＹＺ値、Ｌａｂ値、ガンマ値、色温度等で構成されたデータである。
【００４６】
画像変換処理部５４´は、記憶部５６に記憶されたキャリブレーション画像データを読み出し、該キャリブレーション画像データに応じた光学像（キャリブレーション画像）を、パネル駆動部５５を介して液晶ライトバルブ４２に形成させ、スクリーンＳｃ上に投影画像（キャリブレーション画像）を生成させる。また、画像変換処理部５４´は、撮像部６に所定の制御指令を出力して、スクリーンＳｃの投射面（キャリブレーション画像）を撮像させる。そして、画像変換処理部５４´は、撮像部６にて撮像された画像（キャリブレーション画像）を解析して、視環境情報としての視環境データを生成する。
視環境データとしては、上記基準視環境データと同様に、上記のように投影したキャリブレーション画像の各画素に対応するＸＹＺ値、Ｌａｂ値、ガンマ値、色温度等で構成されたデータである。
この後、画像変換処理部５４´は、生成した視環境データと記憶部５６に記憶された基準視環境データとを比較し、記憶部５６に記憶された写真モードに対応したＬＵＴを、視環境データが基準視環境データと同一となるように色を補正したＬＵＴに校正する。
そして、画像変換処理部５４´は、ステップＳ１２Ａにおいて、上記校正されたＬＵＴに基づいて、画像データに対して画像変換処理（色補正処理）を施す。
【００４７】
以上説明した第２実施形態では、前記第１実施形態と同様の効果の他、以下の効果がある。
画像変換処理部５４´は、撮像部６にて撮像された画像を解析して視環境情報を生成し、視環境情報に基づいて、理想的な画像の色になるように記憶部５６に記憶された写真モードに対応したＬＵＴを校正するので、校正したＬＵＴに基づいて画像データに対して画像変換処理（色補正処理）を施すことで、例えば、スクリーンＳｃの種別や、環境によって投射面に投影される投影画像の色味が異なる場合でも、投射面に投影される投影画像の色味をより元の画像データに近い色味に設定できる。したがって、静止画像をさらに一層鮮明に投影できる。
【００４８】
なお、本発明は前述の実施形態に限定されるものではなく、本発明の目的を達成できる範囲での変形、改良等は本発明に含まれるものである。
前記各実施形態では、画像データの識別情報としてファイル拡張子を採用したが、画像データを識別可能とする情報であればいずれの情報でもよく、例えば、利用者が予め設定した情報（ファイル名、フォルダ名等）等を識別情報として採用してもよい。
前記実施形態では、画像変換処理ステップ（Ｓ１２Ａ）では、記憶部５６に予め記憶された写真モードに対応するＬＵＴを用いて画像データに対して画像変換処理を実施していたが、これに限らない。例えば、画像データに予め、静止画像である画像データに対して画像変換処理を実施するための静止画像変換処理データを付加した構成を採用してもよい。
【００４９】
図６は、前記各実施形態の変形例を示す図である。
例えば、静止画像変換処理データとしては、画像データに基づく画像を、所定の明るさ、色調、コントラスト、シャープネス等に設定するための各種パラメータを採用できる。
また、画像データに静止画像変換処理データが付加されたデータとしては、例えば、図６に示すように、画像データをＪＰＥＧ形式に変換してＪＰＥＧ画像データとするとともに、ＴＡＧ領域Ｔに静止画像変換処理データを付加した、所謂Ｅｘｉｆデータを採用できる。
なお、上記Ｅｘｉｆデータに限らず、画像データに対して静止画像変換処理データを画質の劣化のないように、所謂すかし画像データとして付加したデータを採用してもよい。例えば、画像データを周波数変換し、周波数変換後の画像データの周波数成分の大きい領域に静止画像変換処理データをすかし画像データとして付加したデータを採用してもよい。
画像データおよび静止画像変換処理データを上述した構成とすることで、例えば、利用者が予め静止画像変換処理データを設定しておけば、画像変換処理部５４，５４´が利用者の好みに応じた静止画像変換処理を迅速に実施でき、利便性の向上が図れる。
【００５０】
前記各実施形態では、記憶部５６に記憶された画像変換処理情報としてＬＵＴを採用したが、これに限らず、例えば、所定の関数等で構成された情報を採用してもよい。
前記各実施形態では、スライド再生時に、画像変換処理部５４，５４´が静止画像変換処理（ステップＳ１２）を実施する構成を説明したが、例えば、スライド再生以外、すなわち、操作部２に画像を表示する旨の入力操作が実施された場合等に外部から入力した画像データ（静止画像）に対しても、画像変換処理部５４，５４´は、静止画像変換処理（ステップＳ１２）を実施するものである。
【００５１】
前記各実施形態では、ステップＳ１５の後にステップＳ７〜Ｓ１２を実施している際には、従前の画像データに基づく投影画像が継続して生成されていたが、これに限らない。例えば、投影画像を継続して生成している際に、該投影画像に対応する画像データに対して所定のエフェクト処理や、投影画像内にメッセージ、砂時計等のアイコン等を表示させる構成を採用してもよい。なお、前記エフェクト処理としては、例えば、投影画像が切り換わる際に、従前の投影画像が徐々に消えていき、新たな投影画像が徐々に現れてくる所謂、フェードアウトおよびフェードインや、ぼかし、シャープネス、エンボス、モザイク、セピア等の各種処理を採用できる。
【００５２】
前記第２実施形態では、ステップＳ１５における画像の切換操作の度に、ステップＳ１２ＣでＬＵＴの校正を実施するフローであるが、これに限らず、ＬＵＴの校正を一度実施したら、ＬＵＴの校正処理（ステップＳ１２Ｃ）を画像の切換操作の度に実施しない構成としてもよい。
【００５３】
前記各実施形態では、光変調装置として３つの液晶パネル（液晶ライトバルブ４２）を採用していたが、これに限らず、１つ以上の液晶パネルを有していればよい。
前記各実施形態では、光変調装置として透過型の液晶パネル（液晶ライトバルブ４２）を採用していたが、これに限らず、反射型の液晶パネル、ディジタル・マイクロミラー・デバイス（テキサス・インスツルメント社）、光の回折現象を利用したＧＬＶ(Grating Light Valve)デバイス（Silicon Light Machines社の商標）を採用してもよい。
【００５４】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５５】
本発明のプロジェクタは、静止画像である画像データに対して静止画像に対応した画像変換処理を施し、静止画像をより鮮明に投影できるため、静止画像を投影表示可能とするプロジェクタとして有用である。
【図面の簡単な説明】
【００５６】
【図１】第１実施形態におけるプロジェクタの概略構成を示すブロック図。
【図２】前記実施形態におけるプロジェクタの制御方法を説明するフローチャート。
【図３】前記実施形態におけるファイル表示画面の一例を示す図。
【図４】第２実施形態におけるプロジェクタの概略構成を示すブロック図。
【図５】前記実施形態におけるプロジェクタの制御方法を説明するフローチャート。
【図６】前記各実施形態の変形例を示す図。
【符号の説明】
【００５７】
１，１´・・・プロジェクタ、２・・・操作部、５，５´・・・制御装置、６・・・撮像部（撮像装置）、４１・・・光源装置、４２・・・液晶ライトバルブ（光変調装置）、４３・・・投射光学装置、５１・・・インターフェース部（情報取得部）、５２・・・スライド再生部、５３・・・画像判定部（静止画像判定部）、５４，５４´・・・画像変換処理部、Ｓｃ・・・スクリーン、Ｓ４・・・情報取得ステップ、Ｓ５・・・静止画像判定ステップ、Ｓ８，Ｓ１０，Ｓ１２・・・画像変換処理ステップ、Ｓ１３・・・投影画像生成ステップ。
【図１】
2006323092.tif 000003
【図２】
2006323092.tif 000004
【図３】
2006323092.tif 000005
【図４】
2006323092.tif 000006
【図５】
2006323092.tif 000007
【図６】
2006323092.tif 000008